(57)【要約】【課題】本発明は、宅内外を問わず訪問者への応対が可能であり、訪問者への応対が不可能な場合でも後ほど訪問者及びその用件を確認することが可能なドアフォン装置を提供することを目的としている。【解決手段】本発明に係るドアフォン装置において、本体ユニット２００は、無線端末４００への接続を確立して該無線端末４００とドアフォンユニット１００との間における映像及び音声の授受を可能とする第２送受信部２０５と、ドアフォンユニット１００で得た映像及び音声を格納するメモリ２０６と、を有して成り、来客時には、第２送受信部２０５の無線端末接続処理と、メモリ２０６における情報格納処理のうち、少なくとも一方を行う構成としている。【選択図】      図１
2004241950.tif 000002
【特許請求の範囲】
【請求項１】
カメラ、マイク、スピーカを有する第１ユニットと、該第１ユニットとの間で映像及び音声の授受を行う第２ユニットと、を有して成るドアフォン装置において、
第２ユニットは、無線端末への接続を確立して該無線端末と第１ユニットとの間における映像及び音声の授受を可能とする送受信部と、第１ユニットで得られた映像及び音声を格納するメモリと、を有して成り、来客時には、前記送受信部における無線端末接続処理と、前記メモリにおける情報格納処理のうち、少なくとも一方を行うことを特徴とするドアフォン装置。
【請求項２】
カメラと、マイクと、スピーカと、無線端末への接続を確立して該無線端末との間における映像及び音声の授受を可能とする送受信部と、前記カメラとマイクで得られた映像及び音声を格納するメモリと、を有して成り、来客時には、前記送受信部における無線端末接続処理と、前記メモリにおける情報格納処理のうち、少なくとも一方を行うことを特徴とするドアフォン装置。
【請求項３】
前記無線端末からの遠隔指示に応じて、前記来客時の信号処理を切り換えることを特徴とする請求項１または請求項２に記載のドアフォン装置。
【請求項４】
前記無線端末からの遠隔指示に応じて、前記メモリの格納情報を読み出し、該格納情報を前記無線端末に送出することを特徴とする請求項１〜請求項３のいずれかに記載のドアフォン装置。
【請求項５】
来客時に前記メモリへの情報格納処理を行う場合、該情報格納処理に先立って、予め録音しておいた自動応答音声を前記スピーカで再生し、訪問者に対して用件を求めることを特徴とする請求項１〜請求項４のいずれかに記載のドアフォン装置。
【発明の詳細な説明】
【０００１】
【発明の属する技術分野】
本発明は、玄関等に取り付けられるドアフォン装置に関するものである。
【０００２】
【従来の技術】
従来、カメラを有するドアフォンユニットと、該ドアフォンユニットから伝送されてくる映像を表示するモニタを有する本体ユニットと、から成るドアフォン装置では、ドアフォンユニットと本体ユニットが互いに有線で接続されており、本体ユニットは、基本的にリビングの壁などに固定して取り付けられていた。そのため、別の部屋で家事などを行っている時に訪問者があった場合、居住者は、本体ユニットのあるリビングまでわざわざ移動して、訪問者に応対する必要があった。また、外出中に訪問者があった場合、訪問者への応対は不可能であり、訪問者の確認もできなかった。
【０００３】
このような課題を解消する技術としては、従来より、本体ユニットが持ち運び可能に設けられ、該本体ユニットとドアフォンユニットとの間が無線接続されたドアフォン装置が開示・提案されている（例えば、特許文献１を参照）。なお、本文献に開示された本体ユニットは、携帯電話網等を介して、外部端末との間で映像や音声を送受信することが可能な構成とされている。また、留守中の訪問者を確認する技術としては、従来より、本体ユニットに画像を録画することが可能な住宅情報システムが開示・提案されている（例えば、特許文献２を参照）。
【０００４】
【特許文献１】
特開２００２−１５２３９２号公報
【特許文献２】
特開２００２−１１１８８３号公報
【０００５】
【発明が解決しようとする課題】
確かに、特許文献１で開示・提案されたドアフォン装置であれば、本体ユニットを居住者のいる部屋に持ち運ぶことができるので、居住者は、部屋を移動することなく、訪問者に対して即座に応対することが可能である。また、本構成から成るドアフォン装置であれば、留守中に訪問者があった場合でも、外出先から携帯電話機等を用いて応対することが可能である。また、特許文献２で開示・提案された住宅情報システムであれば、訪問者への応対が不可能な場合にカメラ画像が記録されるので、居住者は、後ほど訪問者の確認を行うことが可能である。
【０００６】
しかしながら、特許文献１で開示・提案されたドアフォン装置は、居住者が在宅中である場合は従来と同様に本体ユニットを用いて訪問者に応対し、居住者が外出中である場合に限り携帯電話機等を用いて訪問者に応対する、という使用形態を念頭に置いて構成されていた。そのため、居住者が在宅中である場合には、必ずしも携帯性が高いとは言えない本体ユニットを持ち運ばねばならない上、その使用には電源コンセントが必要であるという制約もあり、結局リビングの壁等に固定された従来のドアフォン装置と同じような扱いにくさの問題があった。また、訪問者への応対が不可能な場合（例えば、居住者が移動中である場合や公共の場所にいる場合など）には、訪問者を一切確認できないという問題もあった。
【０００７】
一方、特許文献２で開示・提案された住宅情報システムでは、訪問者への応対が不可能である場合に本体ユニットでカメラ画像が記録されるので、後ほど訪問者が誰であったかを確認することはできるが、マイク音声は記録されないので、訪問者の用件を確認することができないという問題があった。
【０００８】
本発明は、上記問題点に鑑み、宅内外を問わず訪問者への応対が可能であり、訪問者への応対が不可能な場合でも後ほど訪問者及びその用件を確認することが可能なドアフォン装置を提供することを目的としている。
【０００９】
【課題を解決するための手段】
上記の目的を達成するために、本発明に係るドアフォン装置は、カメラ、マイク、スピーカを有する第１ユニットと、該第１ユニットとの間で映像及び音声の授受を行う第２ユニットと、を有して成るドアフォン装置において、第２ユニットは、無線端末への接続を確立して該無線端末と第１ユニットとの間における映像及び音声の授受を可能とする送受信部と、第１ユニットで得られた映像及び音声を格納するメモリと、を有して成り、来客時には、前記送受信部における無線端末接続処理と、前記メモリにおける情報格納処理のうち、少なくとも一方を行う構成としている。このような構成とすることにより、宅内外を問わず訪問者への応対が可能となる。また、訪問者への応対が不可能な場合でも後ほど訪問者及びその用件を確認することが可能となる。
【００１０】
また、本発明に係るドアフォン装置は、カメラと、マイクと、スピーカと、無線端末への接続を確立して該無線端末との間における映像及び音声の授受を可能とする送受信部と、前記カメラとマイクで得られた映像及び音声を格納するメモリと、を有して成り、来客時には、前記送受信部における無線端末接続処理と、前記メモリにおける情報格納処理のうち少なくとも一方を行う構成としている。このような構成とすることにより、単一ユニットで上記と同様の効果を得ることができるので、装置のコストダウンを図ることが可能となる。
【００１１】
なお、上記構成から成るドアフォン装置は、前記無線端末からの遠隔指示に応じて前記来客時の信号処理を切り換える構成にするとよい。このような構成とすることにより、外出先でもドアフォン装置の動作設定を行うことが可能となる。
【００１２】
また、上記構成から成るドアフォン装置は、前記無線端末からの遠隔指示に応じて、前記メモリの格納情報を読み出し、該格納情報を前記無線端末に送出する構成にするとよい。このような構成とすることにより、外出先でも留守中の訪問者及びその用件を確認することが可能となる。
【００１３】
また、上記構成から成るドアフォン装置は、来客時に前記メモリへの情報格納処理を行う場合、該情報格納処理に先立って、予め録音しておいた自動応答音声を前記スピーカで再生し、訪問者に対して用件を求める構成にするとよい。このような構成とすることにより、留守中の訪問者が用件を言わずに立ち去ってしまう事態を回避することが可能となる。
【００１４】
【発明の実施の形態】
まず、本発明に係るドアフォン装置の第１実施形態について詳細に説明する。図１は本発明に係るドアフォン装置の第１実施形態を示すブロック図である。本図に示す通り、本実施形態のドアフォン装置は、玄関等に設置されるドアフォンユニット１００と宅内に設置される本体ユニット２００が無線接続されて成る。
【００１５】
ドアフォンユニット１００は、訪問者を撮影するためのカメラ１０１と、訪問者との通話を行うためのマイク１０２及びスピーカ１０３と、カメラ１０１で得られた映像信号を処理する映像処理部１０４と、マイク１０２からの入力音声信号及びスピーカ１０３への出力音声信号を処理する音声処理部１０５と、映像信号及び音声信号を混合する混合部１０６と、混合信号を変調及び復調する変復調部１０７と、本体ユニット２００との間で映像信号及び音声信号の送受信を行う送受信部１０８と、を有して成る。
【００１６】
本体ユニット２００は、ドアフォンユニット１００との間で映像信号及び音声信号の送受信を行う第１送受信部２０１と、該送受信信号を変調及び復調する変復調部２０２と、変復調部２０２とデータ変換部２０４及びメモリ２０６との接続を切り換えるスイッチ部２０３と、無線端末４００との間で授受される信号を互いに送受信可能なデータ形式に変換するデータ変換部２０４と、無線端末４００への接続を確立して該無線端末４００とドアフォンユニット１００との間における映像信号及び音声信号の授受を可能とする第２送受信部２０５と、ドアフォンユニット１００で得られた映像信号及び音声信号を格納するメモリ２０６と、を有して成る。なお、第２送受信部２０５は、予め接続先として登録された無線端末４００（携帯電話機やＰＨＳ［Ｐｅｒｓｏｎａｌ  Ｈａｎｄｙｐｈｏｎｅ  Ｓｙｓｔｅｍ］など）との間で、無線通信網（携帯電話通信網やＰＨＳ電話通信網など）の基地局３００を介した信号の送受信を行う構成である。
【００１７】
上記構成から成るドアフォン装置の無線端末接続処理（スイッチ部２０３で変復調部２０２とデータ変換部２０４が接続されている状態での処理動作）について説明する。本動作時、訪問者によってドアフォンユニット１００の呼出しボタン（不図示）が押下されると、これに連動してカメラ１０１による訪問者撮影とマイク１０２による集音が開始される。カメラ１０１で得られた映像信号は、映像処理部１０４で処理された後に混合部１０６へ送られる。同様に、マイク１０２で得られた音声信号は、音声処理部１０５で処理された後に混合部１０６へ送られる。混合部１０６に入力された映像信号と音声信号は、互いに混合されて変復調部１０７に送られ、本体ユニット２００へ送信可能な信号に変調された後、送受信部１０８から本体ユニット２００に送信される。本体ユニット２００の第１送受信部２０１で受信された変調信号は、変復調部２０２で元の映像信号及び音声信号に復調された後に、スイッチ部２０３を経てデータ変換部２０４に送出される。データ変換部２０４に入力された映像信号及び音声信号は、基地局３００へ送信可能なデータ形式に変換された後に第２送受信部２０５へ送出され、予め接続先として登録された無線端末４００に送信される。
【００１８】
一方、無線端末４００のマイクで集音された居住者の音声信号は、基地局３００を介して本体ユニット２００に送信される。第２送受信部２０５で受信された音声信号は、データ変換部２０４によって変復調部２０２で処理可能なデータ形式に変換された後、スイッチ部２０３を経由して変復調部２０２に送出される。該変復調部２０２に入力された音声信号は、ドアフォンユニット１００へ送信可能な信号に変調された後、第１送受信部２０１から該ドアフォンユニット１００に送信される。ドアフォンユニット１００の送受信部１０８で受信された変調信号は、変復調部１０７で元の音声信号に復調された後、混合部１０６及び音声処理部１０５を経てスピーカ１０３に送出され、音声として出力される。
【００１９】
このような動作により、居住者は、宅内外を問わず、無線端末４００の表示部（不図示）に表示された映像を見て訪問者を確認するとともに、該無線端末４００を用いて訪問者に応対することが可能となる。
【００２０】
次に、上記構成から成るドアフォン装置の情報格納処理（スイッチ部２０３で変復調部２０２とメモリ２０６が接続されている状態での処理動作）について説明する。本動作時も、訪問者によってドアフォンユニット１００の呼出しボタン（不図示）が押下されると、これに連動してカメラ１０１による訪問者撮影とマイク１０２による集音が開始される。カメラ１０１で得られた映像信号は、映像処理部１０４で処理された後に混合部１０６へ送られる。同様に、マイク１０２で得られた音声信号は、音声処理部１０５で処理された後に混合部１０６へ送られる。混合部１０６に入力された映像信号と音声信号は、互いに混合されて変復調部１０７に送られ、本体ユニット２００へ送信可能な信号に変調された後、送受信部１０８から本体ユニット２００に送信される。本体ユニット２００の第１送受信部２０１で受信された変調信号は、変復調部２０２で元の映像信号及び音声信号に復調された後に、スイッチ部２０３を経てメモリ２０６に格納される。
【００２１】
このような動作により、居住者は、訪問者への応答が不可能な場合でも、後ほどメモリ２０６に格納された映像信号及び音声信号を無線端末４００で再生することにより、訪問者及びその用件を確認することが可能となる。
【００２２】
ここで、本実施形態のドアフォン装置は、無線端末４００からの遠隔指示に応じてメモリ２０６の格納情報を読み出し、該格納情報を無線端末４００に送出することが可能な構成としている。このような構成とすることにより、外出先でも留守中の訪問者及びその用件を確認することが可能となる。
【００２３】
また、本実施形態のドアフォン装置は、来客時にメモリ２０６への情報格納処理を行う場合、該情報格納処理に先立って、予め録音しておいた自動応答音声をスピーカ１０３で再生し、訪問者に対して用件を求める構成としている。このような構成とすることにより、留守中の訪問者が用件を言わずに立ち去ってしまう事態を回避することが可能となる。
【００２４】
なお、本実施形態のドアフォン装置は、第２送受信部２０５における無線端末接続処理と、メモリ２０６における情報格納処理のうち、来客時にいずれの処理動作を行うかについては、居住者が任意に設定可能な構成としている。例えば、通常時は第２送受信部２０５における無線端末接続処理を行い、居住者が応対できる状態でないと判断された場合（ドアフォンユニット１００の呼出しボタンが所定回数以上押下されたにも拘わらず居住者の応答がない場合など）に限り、メモリ２０６における情報格納処理に自動切換を行う設定とすればよい。このような設定とすることにより、スイッチ部２０３の切換操作を手作業で行う必要がなくなるので非常に使い勝手がよい。或いは、居住者が訪問者に応対して第２送受信部２０５における無線端末接続処理が行われている場合も、メモリ２０６における情報格納処理を並列実行する設定としてもよい。このような設定とすることにより、後ほど応対内容を聞き返すことができるので非常に使い勝手がよい。
【００２５】
また、本実施形態のドアフォン装置は、無線端末４００からの遠隔指示に応じてスイッチ部２０３の切り換え制御を行うことが可能な構成としている。このような構成とすることにより、外出先でもドアフォン装置の動作設定を行うことが可能となる。
【００２６】
次に、本発明に係るドアフォン装置の第２実施形態について詳細に説明する。図２は本発明に係るドアフォン装置の第２実施形態を示すブロック図である。本図に示す通り、本実施形態のドアフォン装置は、玄関等に設置されるドアフォンユニット１１０と宅内に設置される本体ユニット２１０が有線接続されて成る。
【００２７】
ドアフォンユニット１１０は、訪問者を撮影するためのカメラ１１１と、訪問者との通話を行うためのマイク１１２及びスピーカ１１３と、を有して成る。本体ユニット２１０は、カメラ１１１で得られた映像信号を処理する映像処理部２１１と、マイク１１２からの入力音声信号及びスピーカ１１３への出力音声信号を処理する音声処理部２１２と、映像処理部２１１及び音声処理部２１２とデータ変換部２１４及びメモリ２１６との接続を切り換えるスイッチ部２１３と、無線端末４００との間で授受される信号を互いに送受信可能なデータ形式に変換するデータ変換部２１４と、無線端末４００への接続を確立して該無線端末４００とドアフォンユニット１１０との間における映像信号及び音声信号の授受を可能とする送受信部２１５と、ドアフォンユニット１１０で得られた映像信号及び音声信号を格納するメモリ２１６と、を有して成る。
【００２８】
このように、本実施形態のドアフォン装置であれば、第１実施形態のドアフォン装置と同様の動作を実現するに際して、変復調部や送受信部などを削減することが可能となる。従って、ドアフォンユニット１１０の小型化や装置全体のコストダウンを図ることができる。
【００２９】
次に、本発明に係るドアフォン装置の第３実施形態について詳細に説明する。図３は本発明に係るドアフォン装置の第３実施形態を示すブロック図である。本図に示すように、本実施形態のドアフォン装置は、玄関等に設置されるドアフォンユニット１２０のみを有して成る。
【００３０】
ドアフォンユニット１２０は、訪問者を撮影するためのカメラ１２１と、訪問者との通話を行うためのマイク１２２及びスピーカ１２３と、カメラ１２１で得られた映像信号を処理する映像処理部１２４と、マイク１２２からの入力音声信号及びスピーカ１２３への出力音声信号を処理する音声処理部１２５と、映像処理部１２４及び音声処理部１２５とデータ変換部１２７及びメモリ１２９との接続を切り換えるスイッチ部１２６と、無線端末４００との間で授受される信号を互いに送受信可能なデータ形式に変換するデータ変換部１２７と、無線端末４００への接続を確立して該無線端末４００との間における映像信号及び音声信号の授受を可能とする送受信部１２８と、カメラ１２１及びマイク１２２で得られた映像信号及び音声信号を格納するメモリ１２９と、を有して成る。
【００３１】
このように、本実施形態のドアフォン装置であれば、第１、第２実施形態のドアフォン装置と同様の動作を単一ユニットで実現することが可能となるので、装置のコストダウンを図ることができる。
【００３２】
【発明の効果】
上記したように、本発明に係るドアフォン装置であれば、宅内外を問わず訪問者への応対が可能となる。また、訪問者への応対が不可能な場合でも後ほど訪問者及びその用件を確認することが可能となる。
【図面の簡単な説明】
【図１】本発明に係るドアフォン装置の第１実施形態のブロック図である。
【図２】本発明に係るドアフォン装置の第２実施形態のブロック図である。
【図３】本発明に係るドアフォン装置の第３実施形態のブロック図である。
【符号の説明】
１００、１１０、１２０    ドアフォンユニット
１０１、１１１、１２１    カメラ
１０２、１１２、１２２    マイク
１０３、１１３、１２３    スピーカ
１０４、１２４    映像処理部
１０５、１２５    音声処理部
１０６    混合部
１０７    変復調部
１０８    送受信部
１２６    スイッチ部
１２７    データ変換部
１２８    送受信部
１２９    メモリ
２００    本体ユニット
２０１    第１送受信部
２０２    変復調部
２０３    スイッチ部
２０４    データ変換部
２０５    第２送受信部
２１１    映像処理部
２１２    音声処理部
２１３    スイッチ部
２１４    データ変換部
２１５    送受信部
２１６    メモリ
３００    基地局
４００    無線端末
【図１】
2004241950.tif 000003
【図２】
2004241950.tif 000004
【図３】
2004241950.tif 000005